(57)【要約】【課題】  ケース内に配設される表示計器類を小型化する必要がなく、マルチ表示をなす表示部を大型化することが可能な車両用表示装置を得ること。【解決手段】  車両用表示装置Ａは、車両情報を表示する表示計器をケース体に収納してなる第１の表示装置Ａ１と、第１の表示装置Ａ１内に配設される前記表示計器により表示される車両情報、もしくは前記表示計器により表示されない他の車両情報を表示する第２の表示装置Ａ２と、第１の表示装置Ａ１の下方側から車両の利用者方向へ突出するように設けられ、第２の表示装置Ａ２を配設するための延設部（搭載部）９ｃとを備える。【選択図】  図１
2006007844.tif 000002
【特許請求の範囲】
【請求項１】
車両情報を表示する表示計器をケース体に収納してなる第１の表示装置と、
前記車両情報もしくは前記車両情報とは異なる他の車両情報を表示する第２の表示装置と、
前記第１の表示装置の下方側から車両の利用者方向へ突出するように設けられ、前記第２の表示装置を配設するための搭載部と、
を備えてなることを特徴とする車両用表示装置。
【請求項２】
前記搭載部は、前記第１の表示装置の前記ケース体からの延長部により構成されてなることを特徴とする請求項１に記載の車両用表示装置。
【請求項３】
前記搭載部は、前記車両のインスツルメントパネルの一部分から構成されてなることを特徴とする請求項１に記載の車両用表示装置。
【請求項４】
前記第２の表示装置は、車両の利用者が前記第１の表示装置内における前記表示計器の視認を損なわない状態にて前記搭載部に配設されてなることを特徴とする請求項１に記載に車両用表示装置。
【請求項５】
前記第２の表示装置は、有機ＥＬパネルを有し、前記表示計器の視認を損なわないように表示光を出射する表示面が略上方を向く状態にて前記搭載部に配設されてなることを特徴とする請求項４に記載の車両用表示装置。
【請求項６】
前記第１の表示装置と前記第２の表示装置とは、フレキシブル配線基板もしくは配線コードの何れかからなる配線部材によって電気的に接続されてなることを特徴とする請求項１に記載の車両用表示装置。
【請求項７】
前記第２の表示装置は、表示光の出射方向を規制するルーバー部材を備えてなることを特徴とする請求項１に記載の車両用表示装置。
【発明の詳細な説明】
【技術分野】
【０００１】
本発明は、車両情報を表示する車両用表示装置に関するものである。
【背景技術】
【０００２】
車両用表示装置としては、特許文献１に開示されるものがある。かかる車両用表示装置は、駆動本体に指針を装着し、表示指標が施された文字板と前記指針との対比判読によって車両情報である速度やエンジン回転数を表示するアナログ式表示計器と、車速やエンジン回転数以外の車両情報やナビゲーション情報あるいは瞬間燃費等の様々な情報をマルチ表示するデジタル式表示計器とを単一のケース内に収納したものがある。
【特許文献１】特開平１１−２６８５５６号公報
【発明の開示】
【発明が解決しようとする課題】
【０００３】
かかる車両用表示装置内に配設される前記デジタル式表示計器は、各種の情報を明確にかつデザイン性良く表示するために、前記車両用表示装置内の表示スペースにおける占有率も高くなり、前記デジタル式表示計器が大型化する反面で他の表示計器であるアナログ式表示計器が小型化し視認性を損なうといった問題点を有していた。また、前記デジタル式表示計器の大型化に伴って前記車両用表示装置のケース体を大型化し、前記他の表示計器を小型化せずに前記ケース内に収納することで、前述した問題点を解決するものとなるが、前記車両用表示装置の小型化，薄型化が望まれている近年において、適切なる解決案となっていない。
【０００４】
そこで、本発明は前述した問題点に着目してなされたもので、車両用表示装置内（ケース体内）に配設される表示計器類を小型化する必要がなく、マルチ表示をなす表示部を大型化することが可能な車両用表示装置を提供することを目的とする。
【課題を解決するための手段】
【０００５】
本発明は、前述した課題を解決するため、請求項１に記載した車両用表示装置の通り、車両情報を表示する表示計器をケース体に収納してなる第１の表示装置と、前記車両情報もしくは前記車両情報とは異なる他の車両情報を表示する第２の表示装置と、前記第１の表示装置の下方側から車両の利用者方向へ突出するように設けられ、前記第２の表示装置を配設するための搭載部と、を備えてなるものである。
【０００６】
また、請求項２に記載した車両用表示装置は、請求項１に記載した車両用表示装置において、前記搭載部は、前記第１の表示装置の前記ケース体からの延長部により構成されてなるものである。
【０００７】
また、請求項３に記載した車両用表示装置は、請求項１に記載した車両用表示装置において、前記搭載部は、前記車両のインスツルメントパネルの一部分から構成されてなるものである。
【０００８】
また、請求項４に記載した車両用表示装置は、請求項１に記載した車両用表示装置において、前記第２の表示装置は、車両の利用者が前記第１の表示装置内における前記表示計器の視認を損なわない状態にて前記搭載部に配設されてなるものである。
【０００９】
また、請求項５に記載した車両用表示装置は、請求項４に記載した車両用表示装置において、前記第２の表示装置は、有機ＥＬパネルを有し、前記表示計器の視認を損なわないように表示光を出射する表示面が略上方を向く状態にて前記搭載部に配設されてなるものである。
【００１０】
また、請求項６に記載した車両用表示装置は、請求項１に記載した車両用表示装置において、前記第１の表示装置と前記第２の表示装置とは、フレキシブル配線基板もしくは配線コードの何れかからなる配線部材によって電気的に接続されてなるものである。
【００１１】
また、請求項７に記載した車両用表示装置は、請求項１に記載した車両用表示装置において、前記第２の表示装置は、表示光の出射方向を規制するルーバー部材を備えてなるものである。
【発明の効果】
【００１２】
本発明は、車両情報を表示する車両用表示装置に関し、ケース内に収納された表示計器を小型化する必要がないため、前記表示計器の視認性に優れ、またマルチ表示をなす表示部を別体に設けることで前記表示部を大型化することができる。
【発明を実施するための最良の形態】
【００１３】
以下、本発明の実施形態を添付図面に基づいて説明する。車両用表示装置Ａは、図１及び図２に示すように、第１の表示装置Ａ１と第２の表示装置Ａ２とを備えている。第１の表示装置Ａ１は、車両速度を表示する速度計１、エンジンの回転数を表示する回転計２、残燃料を表示する燃料計３及び冷却水の温度を表示する水温計４と、車両の走行距離や時刻を表示する液晶表示パネルからなるデジタル表示計器５と、バッテリー警告やシートベルト警告等のウォーニング表示部６とが、下ケース（ケース体）７内に配設されている。速度計１，回転計２，燃料計３及び水温計４は、アナログ式表示計器であり、各表示計器１，２，３，４にそれぞれ備えられる駆動本体Ｓに各指針１ａ，２ａ，３ａ，４ａが装着され、表示指標８ａが印刷形成された文字板８と各指針１ａ，２ａ，３ａ，４ａとの対比判読によって、計測量を認識することができるものである。また文字板８は、下ケース７内に配設されるランプやＬＥＤ等からなる照明部材Ｌによって、表示指標８ａが透過照明される。
【００１４】
一方、下ケース７の前面側は、上ケース９にて覆われている。上ケース９は、樹脂製材料からなり、各表示計器１，２，３，４とデジタル表示計器５とワーニング表示部６とを視認可能（以下、表示計器類と記す）とするための透光性カバー体９ａと、この透光性カバー９ａと超音波溶着によって固定され、文字板８の周縁部を覆うように設けられる樹脂製材料からなる見返し部材９ｂとから構成されている。
【００１５】
見返し部材９ｂには、下ケース７の下部から前方に延長形成される延設部９ｃが設けられており、第２の表示装置Ａ２を配設するための搭載部を構成している。
【００１６】
第２の表示装置Ａ２は、第１の表示装置Ａ１の表示計器類の視認性を損なわないために、その表示面が上方を向くように、所謂寝かせた状態にて延設部９ｃに配設される。第２の表示装置Ａ２は、図３及び図４に示すように、第１の表示装置Ａ１の表示計器類により表示される情報、あるいは第１の表示装置Ａ１の表示計器類で表示されない他の車両情報（例えば、ナビゲーション情報や路面情報）を表示するものである。第２の表示装置Ａ２には、一方が透光性の第一，第二電極ラインをそれぞれ複数備え、前記各電極ラインが直交する状態で配設されるとともに、前記各電極ライン間に少なくとも発光層を含む有機層を挟持してなるドットマトリクス状の有機ＥＬ素子を備える有機ＥＬパネル２１によって各種情報を表示するものである。有機ＥＬパネル２１は、後述するマイクロコンピュータから出力される駆動信号を駆動回路を介して入力することで、前記各電極ラインが選択されて数字，文字及び記号等の所定の表示形態が得られるものであり、ハウジング２２内に収納されている。
【００１７】
ハウジング２２は、樹脂材料からなる上ケース２２ａと下ケース２２ｂとによって構成されるものであり、上ケース２２ａと下ケース２２ｂとは例えばネジ部材（図示しない）によって固定されている。また、ハウジング２２は、その内部に有機ＥＬパネル２１を配設する配設部２２ｃを備えており、この配設部２２ｃには、有機ＥＬパネル２１が接着剤を介して固定されている。上ケース２２ａには、有機ＥＬパネル２１の表示領域に対応する開口部２２ｄが設けられ、この開口部２２ｄの側壁は段差形状をなしている。そして、この開口部２２ｄには、有機ＥＬパネル２１が発する表示光を視認可能する透光性の前面カバー２３が接着剤を介して配設固定されている。また、前面カバー２３と有機ＥＬパネル２１との間には、前記表示光の出射方向を規制（車両利用者方向に前記表示光を出射する）するルーバー部材２４が配設され、前記表示光が第１の表示装置Ａ１の透光性カバー９ａに映り込むことを防止している。
【００１８】
ハウジング２２の有機ＥＬパネル２１の下方には、有機ＥＬパネル２１を駆動するためのマイクロコンピュータ２５が実装された硬質回路基板２６が配設され、有機ＥＬパネル２１と回路基板２６とは、フレキシブル配線板２７によって電気的に接続されている。
【００１９】
第１の表示装置Ａ１と第２の表示装置Ａ２とは、図２に示すようにフレキシブル配線板あるいは配線コードからなる配線部材２８によって電気的に接続されており、配線部材２８の一端は、第１の表示装置Ａ１の下ケース７の裏面側に配設される硬質回路基板２９に電気的に接続され、また配線部材２８の他端は、第２の表示装置の硬質回路基板２６に電気的に接続されている。従って、第１の表示装置Ａ１の表示計器類により表示される情報、あるいは第１の表示装置Ａ１の表示計器類で表示されない他の車両情報は、第１の表示装置Ａ１から第２の表示装置Ａ２に伝達され、所定の表示がなされることになる。
【００２０】
かかる車両用表示装置Ａは、車両情報を表示する表示計器類を下ケース７に収納してなる第１の表示装置Ａ１と、第１の表示装置Ａ内に配設される表示計器類により表示される車両情報、もしくは前記表示計器類により表示されない他の車両情報を表示する第２の表示装置Ａ２と、第１の表示装置Ａ１下方側で、上ケース９ａの見返し部材９ｂから車両の利用者方向へ延設され、第２の表示装置Ａ２を配設するための搭載部となる延設部９ｃとを備えるものである。
【００２１】
従って、マルチ表示をなす第２の表示装置Ａ２を各表示計器類を収納してなる第１の表示装置Ａ１と別体に備えることで、第１の表示装置Ａ１の下ケース７に配設される表示計器類を小型化する必要がなく、またマルチ表示をなす第２の表示装置Ａ２を大型化することが可能となる。
【００２２】
また、第１の表示装置Ａ１のケース体である見返し部材９ｂから延長形成される延設部９ｃに第２の表示装置Ａ２を配設することから、第１の表示装置Ａ１と第２の表示装置Ａ２とが別体に設けられるものであっても、車両用表示装置Ａとしての一体感を持たせることが可能であり、また車両用表示装置Ａとしての組み付け性が向上する。
【００２３】
第２の表示装置Ａ２は、車両の利用者が第１の表示装置Ａ１内における表示計器類の視認を損なわない状態にて延設部９ｃに配設されるものである。つまり、第２の表示装置Ａ２は、有機ＥＬパネル２１を備えた表示装置からなり、前記表示計器類の視認性を損なわないように、表示光を出射する表示面が上方を向く状態、即ち第２の表示装置Ａ２を寝かせた状態にて延設部９ｃに配設するものである。第２の表示装置Ａ２の表示面が延設部９ｃ上において上方を向くものの、車両の利用者は、やや上方から車両用表示装置Ａ１自体を見下ろすことになり、また視野角度の広い有機ＥＬパネル２１が第２の表示装置Ａ２に備えられることから、第２の表示装置Ａ２における表示内容は、利用者にとって明確に視認することができる。
【００２４】
また、第１の表示装置Ａ１と第２の表示装置Ａ２とは、フレキシブル配線基板もしくは配線コードの何れかからなる配線部材２８によって電気的に接続されるものであり、車両用表示装置Ａの組み付け性を向上させるとともに、電気的接続において信頼性が高い。
【００２５】
また、第２の表示装置Ａ２は、第２の表示装置Ａ２から出射される表示光の出射方向を利用者方向とする（規制する）ルーバー部材２４を備えてなるものであり、第１の表示装置Ａ１の透光性カバー９ａへの前記表示光の映り込みを防止することができるため、第１の表示装置Ａ１における表示計器類の視認性を損なうことはない。
【００２６】
次に、図５を用いて本発明の他の実施形態について説明するが、前述した実施形態と同様もしくは相当個所には同一符号を付してその詳細な説明は省く。
【００２７】
本発明の他の実施形態が前述した実施形態と比べ異なる点は、第２の表示装置Ａ２を配設する個所にある。即ち、車両用表示装置Ａは、第１の表示装置Ａ１の下方側に設けられる車両のインスツルメントパネル３０の一部分を、第２の表示装置Ａ２を配設するための搭載部３０ａとして構成するものである。
【００２８】
かかる構成の車両用表示装置Ａは、構成を複雑にすることなく初期の目的を達成することができる。
【００２９】
尚、前述した各実施形態では、第２の表示装置Ａ２に有機ＥＬパネル２１を備える構成であったが、請求項１に記載の本発明においては、例えば視野角度の広いＴＦＴ型液晶表示パネルを第２の表示装置に用いるものであっても良い。
【００３０】
また、前述した各実施形態では、第２の表示装置Ａ２において、前面カバー２３と有機ＥＬパネル２１との間にルーバー部材２４を配設するものであったが、本発明は、例えば前面カバー２３の上面にルーバー部材を配設する構成であって良く、表示光が第１の表示装置Ａ１の透光性カバー９ａに映り込まない構成であれば、前述した各実施形態の構造に限定されるものではない。
【００３１】
また、前述した各実施形態では、延設部９ｃ及びインスツルメントパネル３０の一部分からなる搭載部３０ａの上に第２の表示装置Ａ２を配設するものであったが、本発明にあっては、第２の表示装置Ａ２の表示面が延設部９ｃ及び搭載部３０ａの平坦面と略同等になるように延設部９ｃ及び搭載部３０ａに第２の表示装置Ａ２を埋設するものであっても良く、このように構成することで、第１の表示装置Ａ１の視認性を低下させることが更になくなる。
【図面の簡単な説明】
【００３２】
【図１】本発明の実施形態の車両用表示装置を示す平面図である。
【図２】同上実施形態の車両用表示装置を示す要部断面図である。
【図３】同上実施形態の第２の表示装置を示す平面図である。
【図４】同上実施形態の第２の表示装置を示す要部断面図である。
【図５】本発明の他の実施形態の車両用表示装置を示す要部断面図である。
【符号の説明】
【００３３】
Ａ  車両用表示装置
Ａ１  第１の表示装置
Ａ２  第２の表示装置
７  下ケース（ケース体）
９  上ケース
９ａ  透光性カバー体
９ｂ  見返し部材
９ｃ  延設部（搭載部）
２１  有機ＥＬパネル
２４  ルーバー部材
２８  配線部材
３０  インスツルメントパネル
３０ａ  搭載部
【図１】
2006007844.tif 000003
【図２】
2006007844.tif 000004
【図３】
2006007844.tif 000005
【図４】
2006007844.tif 000006
【図５】
2006007844.tif 000007